(57)【要約】【課題】使用者が表示内容を自由に製作、あるいは変更できるＥＬを用いた表示体構成部品及びこれを用いた表示装置を提供する。【解決手段】絶縁性基板１と絶縁シート６との間に、透明電極層２と、発光体層３と、誘電体層５と、背面電極層５とが形成されたＥＬを用いた表示体構成部品において、前記背面電極層５は、平面形状が矩形形状あるいは円形形状に区画された複数の電極部５ａとしてマトリックス状に形成されると共に、各電極部５ａにおいてその一部が、前記絶縁シート６に形成された孔６ａによって露出していることを特徴としている。【選択図】      図２
2004227873.tif 000002
【特許請求の範囲】
【請求項１】
絶縁性基板と絶縁シートとの間に、透明電極層と、発光体層と、誘電体層と、背面電極層とが形成されたＥＬを用いた表示体構成部品において、
前記背面電極層は、平面形状が矩形形状あるいは円形形状に区画された複数の電極部として、マトリックス状に形成されると共に、
各電極部においてその一部が、前記絶縁シートに形成された孔によって露出していることを特徴とするＥＬを用いた表示体構成部品。
【請求項２】
絶縁性基板と絶縁シートとの間に、透明電極層と、発光体層と、誘電体層と、背面電極層とが形成されたＥＬを用いた表示体構成部品において、
前記透明電極層上には、発光体層が平面形状が矩形形状あるいは円形形状に区画された複数の発光部として、マトリックス状に形成され、
前記背面電極層は、平面形状が矩形形状あるいは円形形状に区画された複数の電極部として、前記発光部に対応する各位置に形成されると共に、
各電極部においてその一部が前記絶縁シートに形成された孔によって露出していることを特徴とするＥＬを用いた表示体構成部品。
【請求項３】
請求項１または請求項２に記載されたＥＬを用いた表示体構成部品を用いた表示装置であって、
前記絶縁シートに形成された孔によって露出した電極部同士を導電性部材で電気的に接続することを特徴とする表示装置。
【請求項４】
前記導電性部材は、導電性テープあるいは導電性インクであることを特徴とする請求項３に記載された表示装置。
【発明の詳細な説明】
【０００１】
【発明の属する技術分野】
本発明は、エレクトロルミネセンス（以下、ＥＬという）を用いた表示体構成部品及びこれを用いた表示装置に関する。
【０００２】
【従来の技術】
従来のＥＬを用いた表示装置は、一般に図６に示すような構成となっており、図６に基づいてその構成を説明する。なお、図６（ａ）は平面図であり、（ｂ）は（ａ）のＶＩ―ＶＩ断面図である。
図６に示すように、ＥＬを用いた表示装置２０は、透明な絶縁シート２１、絶縁シート２１の裏面に形成された透明電極層２２、透明電極層２２上に形成された発光体（ＥＬ）層２３、発光体層２３上に順次形成された誘電体層２４、背面電極層２５および絶縁層２６から構成されている。なお、前記透明電極層２２は酸化インジウム（インジウム錫酸化物）を主成分とする光透過性導電層（以下、ＩＴＯという）により構成される。
【０００３】
また、例えば、図６（ａ）に示すようにＡという文字を表示する場合には、背面電極層２５の平面形状を「Ａ」形状に形成し、透明電極層２２と背面電極層２５間に交流電圧あるいは直流パルス電圧を印加することにより、透明絶縁シート２１側へ発光した光を導出している。
なお、図６に示すようにＡという文字を表示する場合には、背面電極層２５を「Ａ」形状に形成する以外に、透明電極層２２、発光体（ＥＬ）層２３、誘電体層２４の平面形状も、「Ａ」形状に形成しても良い。
【０００４】
【発明が解決しようとする課題】
ところで、従来のＥＬを用いた表示装置にあっては、文字、絵柄等が決められ、それに基づいて背面電極層２５の平面形状、あるいは発光体（ＥＬ）層２３、誘電体層２４の平面形状が決定され、表示装置が製作される。
言い換えれば、予め、製作者によって決定された文字、絵柄等が表示することができ、使用者が自由に文字、絵柄等を作り出したり、あるいは変更することができないという技術的課題があった。
【０００５】
本発明は、上記技術的課題を解決するためになされたものであり、使用者が表示内容を自由に製作、あるいは変更できるＥＬを用いた表示体構成部品及びこれを用いた表示装置を提供することを目的とする。
【０００６】
【課題を解決するための手段】
前記技術的課題を解決するためになされた本発明にかかるＥＬを用いた表示体構成部品は、絶縁性基板と絶縁シートとの間に、透明電極層と、発光体層と、誘電体層と、背面電極層とが形成されたＥＬを用いた表示体構成部品において、前記背面電極層は、平面形状が矩形形状あるいは円形形状に区画された複数の電極部としてマトリックス状に形成されると共に、各電極部においてその一部が、前記絶縁シートに形成された孔によって露出していることを特徴としている。
このように、前記背面電極層が、平面形状が矩形形状あるいは円形形状に区画された電極部としてマトリックス状に形成され、各電極部においてその一部が、前記絶縁シートに形成された孔から露出している。そのため、これら露出した電極部同士を電気的に接続することにより、発光層の所定箇所を発光させることができ、所望の文字、絵柄を表示することができる。
【０００７】
また、前記技術的課題を解決するためになされた本発明にかかるＥＬを用いた表示体構成部品は、絶縁性基板と絶縁シートとの間に、透明電極層と、発光体層と、誘電体層と、背面電極層とが形成されたＥＬを用いた表示体構成部品において、前記透明電極層上には、発光体層が、平面形状が矩形形状あるいは円形形状に区画された複数の発光部として、マトリックス状に形成され、前記背面電極層は、平面形状が矩形形状あるいは円形形状に区画された複数の電極部として、前記発光部に対応する各位置に形成されると共に、各電極部においてその一部が前記絶縁シートに形成された孔によって露出していることを特徴としている。
このように、前記背面電極層が、平面形状が矩形形状あるいは円形形状に区画された電極部として、マトリックス状に形成され、各電極部においてその一部が前記絶縁シートに形成された孔から露出し、しかも発光体層が、平面形状が正方形に区画された発光部として、マトリックス状に形成されている。
そのため、これら露出した電極部同士を電気的に接続することにより、所望の文字、絵柄を表示することができる。
【０００８】
また、前記絶縁シートに形成された孔から露出した電極部同士を導電性部材で電気的に接続することにより表示装置となすことができる。前記導電性部材は具体的には、導電性テープあるいは導電性インクであることが望ましい。
【０００９】
【発明の実施の形態】
以下、本発明の実施形態を図面と共に説明する。
図１は本発明にかかるＥＬを用いた表示体構成部品の製造工程を示す図であり、図２はＥＬを用いた表示体構成部品の完成状態の図である。
図１において、符号１は透明な絶縁性基体であって、この絶縁性基板１の上面全面に透明電極層２が形成されている。この透明電極層２は酸化インジウム（インジウム錫酸化物）を主成分とする光透過性導電層（以下、ＩＴＯという）により構成され，従来と同様な方法によって形成される。
【００１０】
また、前記絶縁性基板１の材質は光透過性を有する絶縁性基体であれば良く、例えば、ガラス、ポリアミド系樹脂、ポリカーボネイト系樹脂等を用いることができる。また、前記絶縁性基体１は、硬質なものに限定されることなく、例えば、ポリエステル、ポリエチレンテレフタレート等の柔軟性を有する絶縁シートであっても良い。
【００１１】
また、この透明電極層２上には、発光体（ＥＬ）層３が形成されている。この発光体（ＥＬ）層３は、印刷により、平面形状が正方形に区画された、多数の発光部３ａがマトリックス状（横方向にｍ個、縦方向にｎ個が格子状に配列）に形成されている。なお、この実施形態にあっては、発光部３ａの平面形状が正方形形状の場合を示したが、このほか、長方形形状、円形形状であっても良い。
また、この発光体（ＥＬ）層３は、広く知られているもので、例えば、ＺｎＳ：Ｃｕ系の蛍光体粉末を有機バインダに分散させ、厚さ５０〜１００μｍ程度に印刷されることによって形成される。また前記発光部３ａの大きさは、細かいほど鮮明な文字、絵柄等を表示することができるが、印刷精度を考慮して、一辺が２ｍｍ〜１０ｍｍ程度の正方形形状に形成されている。
【００１２】
そして、この発光体層３上に順次形成された誘電体層４、背面電極層５が形成されている。この誘電体層４としては、公知の材料を用いることができ、例えば、チタン酸鉛系、ニオブ酸鉛系、チタン酸バリウム系の材料を印刷することにより形成する。
この背面電極層５は、前記した発光部３ａと同様に、平面形状が正方形に区画された、多数の電極部５ａがマトリックス状（横方向にｍ個、縦方向にｎ個が格子状に配列）に形成されている。なお、この実施形態にあっては、電極部５ａの平面形状が正方形形状の場合を示したが、このほか、長方形形状、円形形状であっても良い。
【００１３】
また前記電極部５ａは、発光部３ａと対応した位置に形成されている。また、前記電極部５ａのうち最下位置にある電極部５ａは、一端が端子部５ｃに接続された電源ライン５ｂに接続されている。
なお、この背面電極層５（電極部５ａ）は、公知の材料であるアルミニウム、白金、銀、モリブデン、タングステン等で、蒸着法、印刷焼成法、ＣＶＤ法等で形成することができる。
【００１４】
また、前記背面電極層５の上面には、絶縁シート６が貼り合わされる。前記絶縁シート６には、各電極部５ａに対応して電極部５ａの表面を露出させる孔６ａが形成されている。前記絶縁シート６は、例えば厚さが約７５μｍのポリエステルよりなる絶縁シートである。
このようにして、背面電極層５の上面に、絶縁シート６が貼り合わされることで、ＥＬを用いた表示体構成部品が完成する。
【００１５】
また、簡易な方法として以下のようにしてＥＬを用いた表示体構成部品を製作しても良い。
まず、絶縁シート６上に銅箔、アルミニウム箔を導電性接着剤で貼り合せることにより、平面形状が正方形に区画された、マトリックス状に形成された電極部５ａを形成する。そして、この絶縁シート６を、予め、透明電極層２、発光体層３、誘電体層４が形成された絶縁性基板１に対して、前記電極部５ａと誘電体層４とが対峙するように貼り合わせることによって、表示体構成部品を製作しても良い。
【００１６】
前記したＥＬを用いた表示体構成部品は、図２に示すような構成を有している。即ち、絶縁性基板１と絶縁シート６との間に、透明電極層２、発光体層３、誘電体層４、前記背面電極層５が形成され、該電極部５ａの一部が前記絶縁シート６の孔６ａから露出する構成を備えている。
【００１７】
次に、このＥＬを用いた表示体構成部品を用いて、表示装置を製作する場合について図３乃至図５に基づいて説明する。なお、図３は、前記表示体構成部品を用いた表示装置の製造工程を示す図であり、図４は表示装置の完成状態の図であり、図５は表示状態を示す図である。
【００１８】
ここでは、数字「４」を表示する表示装置を例にとって説明する。まず、この銅箔テープのような導電性テープ７を絶縁シート６の上から「４」を形成するように、上から押えながら貼り付ける。このとき、導電性テープ７は変形し、絶縁シート６の孔６ａを介して、電極部５ａと接続される。なお、この導電性テープ７は、電源ライン５ｂと接続された最下位置の電極部５ａと接続する必要がある。
その後、前記導電性テープ７を覆うため、絶縁シート８をその上部に貼り付ける。この絶縁シート８は、前記した絶縁シート６と同質の絶縁シートを用いることができる。
【００１９】
このようにして形成された表示体構成部品を用いた表示装置は、図４に示すような構成を有している。即ち、絶縁性基板１と絶縁シート８との間に、透明電極層２、発光体層３、誘電体層４、前記背面電極層５、該電極部５ａの一部が露出する孔６ａを有する絶縁シート６、所望の文字、絵柄を形成するための回路パターンを形成する導電性テープ７、絶縁シート８が形成されている。
【００２０】
このように構成された表示装置Ａにおいて、透明電極層２、端子部５ｃに交流電圧あるいは直流パルス電圧を印加すると、即ち、透明電極層２、電極部５ａ間に交流電圧あるいは直流パルス電圧を印加すると、発光体層３（発光部３ａ）は，この電圧によって生じる交流電界あるいは直流パルス電界により励起されて発光する。
このとき、発光は、導電性テープ７で接続された電極部５ａに対応する発光部３ａのみ行われるため、図５に示すように、「４」という数字として外部に導出され、表示される。
【００２１】
以上説明したように、ＥＬを用いた表示体構成部品に、導電性テープを所望の文字、形状になるように貼り付け、その上に絶縁シートを貼り付けていることによって、表示装置が形成される。
そのため、ＥＬを用いた表示体構成部品を購入した使用者が、自由に文字、絵柄等の表示を容易に作製することができる。また、表示装置から絶縁シートを剥離し、導電性テープを貼り直すことで、表示内容を容易に変更できる。
【００２２】
上記実施形態で態を示す図で「４」という文字を用いた表示の場合について説明したが、数字、図形、人物、動物、風景等あらゆるものの表示を行うことができる。また、上記実施形態にあっては、導電性テープを用いる場合について説明したが、導電性インクを用いて、マトリックス状に形成された電極部の間を電気的に接続しても良い。
【００２３】
【発明の効果】
以上のように、本発明によれば、使用者が表示内容を自由に製作、あるいは変更できるＥＬを用いた表示体構成部品及びこれを用いた表示装置を得ることが得できる。
【図面の簡単な説明】
【図１】図１は、本発明にかかるＥＬを用いた表示体構成部品の製造工程を示す図であって、（ａ）は平面図、（ｂ）は（ａ）のＩ―Ｉ断面図である。
【図２】図２は、ＥＬを用いた表示体構成部品としての完成状態を示す図であって、（ａ）は平面図、（ｂ）は（ａ）のＩＩ―ＩＩ断面図である。
【図３】図３は、本発明にかかる表示体構成部品に導電性テープを貼着した状態を示す図であって、（ａ）は平面図、（ｂ）は（ａ）のＩＩＩ―ＩＩＩ断面図である。
【図４】図４は、本発明にかかる表示装置としての完成状態を示す図であって、（ａ）は平面図、（ｂ）は（ａ）のＩＶ―ＩＶ断面図である。
【図５】図５は、本発明にかかる表示装置の発光状態を示す平面図である。
【図６】従来のＥＬを用いた表示装置を示す図であって、（ａ）は平面図、（ｂ）は（ａ）のＶＩ―ＶＩ断面図である。
【符号の説明】
１            絶縁性基体
２            透明電極層（ＩＴＯ）
３            発光体層（ＥＬ層）
３ａ          発光部
４            誘電体層
５            背面電極層
５ａ          電極部
５ｂ          電源ライン
５ｃ          端子部
６            絶縁シート
６ａ          孔
７            導電性テープ
８            絶縁シート
２１          絶縁シート
２２          透明電極層
２３          発光体層
２４          誘電体層
２５          背面電極層
２６          絶縁層
Ａ            表示装置
【図１】
2004227873.tif 000003
【図２】
2004227873.tif 000004
【図３】
2004227873.tif 000005
【図４】
2004227873.tif 000006
【図５】
2004227873.tif 000007
【図６】
2004227873.tif 000008
【手続補正書】
【提出日】平成15年2月3日(2003.2.3)
【手続補正１】
【補正対象書類名】図面
【補正対象項目名】図５
【補正方法】変更
【補正の内容】
【図５】
2004227873.tif 000009
【手続補正２】
【補正対象書類名】図面
【補正対象項目名】図６
【補正方法】変更
【補正の内容】
【図６】
2004227873.tif 000010